(57)【特許請求の範囲】
【請求項１】
筐体本体と、
前記筐体本体に対し可動に設けられた可動部と、
一方側が前記筐体本体に設けられると共に他方側が前記可動部に設けられ、前記可動部の前記筐体本体に対する動作に追従して変形可能なプリント回路部と、
を有する、電子機器であって、
前記プリント回路部は、
前記可動部の前記動作に応じて屈曲する屈曲領域と、前記屈曲領域以外の領域である通常領域とを備えており、
前記通常領域を、
可撓性を備えたベース層と、
前記ベース層の厚さ方向一方側に位置する信号線パターン層と、
前記信号線パターン層の前記厚さ方向一方側に位置し、導電性ペーストにより構成した第１シールド層と、
前記ベース層の厚さ方向他方側に位置し、前記第１シールド層より大きな剛性を備えるよう銅箔により構成した第２シールド層と、
を含む積層構造により構成し、
前記屈曲領域を、
前記ベース層と、
前記信号線パターン層と、
前記第１シールド層と、
隣接する前記通常領域の積層構造の前記第２シールド層に相当する部位に設けた間隙空気層と、
を含む積層構造により構成した
ことを特徴とする電子機器。
【請求項２】
請求項１記載の電子機器において、
前記通常領域は、
前記第１シールド層と前記第２シールド層とを導通させる、接続導電路を備える
ことを特徴とする電子機器。
【請求項３】
請求項１又は請求項２記載の電子機器において、
前記第１シールド層を構成する前記導電性ペーストは、
導電材料として銀粒子を含むことを特徴とする電子機器。
【請求項４】
請求項１乃至請求項３のいずれか１項記載の電子機器において、
被印刷用紙に所望の印刷を行うサーマルヘッドと、前記被印刷用紙を搬送する搬送手段とを、前記筐体本体の内部に有し、
前記可動部が、前記サーマルヘッドにより印刷が行われた前記被印刷用紙の排出に利用可能な開閉カバーであり、
前記プリント回路部が、前記筐体本体に固定された制御基板と前記開閉カバーに設けられた被印刷用紙検出用のセンサとを接続する回路部である、
印刷装置であることを特徴とする電子機器。
【発明の詳細な説明】
【技術分野】
【０００１】
本発明は、静電気対策を実行するためのシールド層を備えた、プリント回路部を有する電子機器に関する。
【背景技術】
【０００２】
一般に電子機器は、基材上に導電材料により形成された配線パターンを電気絶縁性の層によって被覆したプリント回路部を有している。このような電子機器においては、操作者の指などに帯電した静電気が筐体内に侵入してプリント配線基板に伝わり、当該基板に実装された電子素子等に不具合を生じさせるおそれがある。
【０００３】
従来、このような侵入した静電気を除去するための対応策をプリント回路部において実行したものがある（例えば、特許文献１参照）。この従来技術の電子機器は、挿入口より挿入された磁気テープを再生する車載用の磁気テープ再生装置であり、プリント回路部（前面基板）における挿入口に臨む部分に、シールド層を備えた接地用配線パターン（露出パターン）を形成する。この接地用配線パターンは接地された筐体に接続されており、挿入口等から侵入した静電気を接地用配線パターンを介して除去する。
【先行技術文献】
【特許文献】
【０００４】
【特許文献１】実開平５−３１１９９号公報
【発明の概要】
【発明が解決しようとする課題】
【０００５】
例えば、電子機器の筐体が、回転式、開閉式、スライド式等の可動部を有する場合がある。この可動部は、固定側である筐体本体に対し、可動に設けられる。この可動部に係わる静電気除去を行おうとする場合には、シールド層を含むプリント回路部を、筐体本体と可動部とに跨って設ける必要がある。しかしながらこの場合、可動部が筐体本体に対し動作するたびに、それら筐体本体と可動部とに跨るプリント回路部が当該動作に追従して反復変形することとなる。
【０００６】
上記従来技術においては、上記のような、プリント回路部を可動部に設ける場合にまで特に配慮されていない。例えば、上記反復変形部分がシールド層の存在により剛性が高く延性が弱い積層構造となる場合には、上記繰り返しによって当該反復変形部分が破断し、回路損傷を受けるおそれがあった。この結果、シールド層による接地放電性能を確保しつつ、積層構造全体の延性を増加させることは、困難となっていた。すなわち、可動部に設けるプリント回路部において、静電気対策と破断防止機能とを両立させることは困難であった。
【０００７】
本発明の目的は、プリント回路部を可動部に設ける場合であっても、静電気対策と破断防止機能とを両立できる、電子機器を提供することにある。
【課題を解決するための手段】
【０００８】
上記目的を達成するために、第１の発明は、筐体本体と、前記筐体本体に対し可動に設けられた可動部と、一方側が前記筐体本体に設けられると共に他方側が前記可動部に設けられ、前記可動部の前記筐体本体に対する動作に追従して変形可能なプリント回路部と、を有する、電子機器であって、前記プリント回路部は、前記可動部の前記動作に応じて屈曲する屈曲領域と、前記屈曲領域以外の領域である通常領域とを備えており、前記通常領域を、可撓性を備えたベース層と、前記ベース層の厚さ方向一方側に位置する信号線パターン層と、前記信号線パターン層の前記厚さ方向一方側に位置し、導電性ペーストにより構成した第１シールド層と、前記ベース層の厚さ方向他方側に位置し、前記第１シールド層より大きな剛性を備えるよう銅箔により構成した第２シールド層と、を含む積層構造により構成し、前記屈曲領域を、前記ベース層と、前記信号線パターン層と、前記第１シールド層と、隣接する前記通常領域の積層構造の前記第２シールド層に相当する部位に設けた間隙空気層と、を含む積層構造により構成したことを特徴とする。
【０００９】
本願第１発明の電子機器においては、可動部が、筐体本体に対し可動に設けられている。筐体本体及び可動部に跨るように、プリント回路部が設けられている。プリント回路部にはシールド層が設けられており、これによって筐体の外部から本体内部に入り込んだ静電気を接地放電することができる。プリント回路部の一方側は筐体本体に設けられ、プリント回路部の他方側は可動部に設けられている。プリント回路部は屈曲領域と通常領域とを備えており、可動部が筐体本体に対し動作する場合に屈曲領域が屈曲することにより、プリント回路部は当該可動部の動作に追従して変形する。すなわち可動部が動作するたびに、プリント回路部の屈曲領域は屈曲動作を繰り返すことになるので、延性が弱い積層構造とした場合には、上記繰り返しによって回路損傷を受けるおそれがある。
【００１０】
そこで本願第１発明においては、プリント回路部の通常領域は、可撓性を備えたベース層を備え、信号線パターン層の厚さ方向の両側に導電性ペーストにより構成した第１シールド層及びこの第１シールド層より大きな剛性を備えるよう銅箔により構成した第２シールド層をそれぞれ分配して配置した、積層構造により構成する。その一方で、プリント回路部の屈曲領域は、上記積層構造から第２シールド層を省略して間隙空気層とした構造、すなわち、ベース層と、信号線パターン層と、信号線パターン層の厚さ方向一方側に第１シールド層のみを配置した、積層構造とする。
【００１１】
これにより、屈曲領域では、第１シールド層によって必要最低限の接地放電性能を確保しつつ、第２シールド層を間隙空気層とすることで積層構造全体の剛性を低下させ延性を増加させることができる。この結果、可動部に設けるプリント回路部において、静電気対策と破断防止機能とを両立させることができる。
【００１３】
また、本願第１発明では、屈曲領域において、第２シールド層を省略して当該部位を間隙とし、間隙空気層とする。屈曲領域の積層構造においては、この間隙空気層を挟んで厚さ方向一方側と厚さ方向他方側とが不連続となるので、確実に延性を増加させ、屈曲動作の繰り返しによる破断を防止することができる。また、第１シールド層を導電性ペーストにより構成したことにより、積層構造の剛性を確実に低下させて延性を増加させることができる。さらに、第２シールド層を、前記第１シールド層より大きな剛性を備えるように銅箔により構成したことにより、プリント回路部の屈曲領域では、大きな剛性の第２シールド層が省略され、小さな剛性の第１シールド層のみが設けられる。この結果、積層構造の剛性を確実に低下させて延性を増加させることができる。
【００１４】
第２発明は、上記第１発明において、前記通常領域は、前記第１シールド層と前記第２シールド層とを導通させる、接続導電路を備えることを特徴とする。
【００１５】
本願第２発明においては、通常領域が、第１シールド層と第２接地層パターン層とを導通させる接続導電路を備えている。これにより、屈曲領域より層方向一方側に位置する通常領域の第２シールド層が、接続導電路→第１シールド層→屈曲領域の第１シールド層→屈曲領域の層方向他方側に位置する別の通常領域の第１シールド層→接続導電路という経路を介し、当該別の通常領域の第２シールド層と確実に導通する。したがって、プリント回路部全体において、十分な静電気放電機能を確保することができる。
【００２０】
第３発明は、上記第１発明において、前記第１シールド層を構成する前記導電性ペーストは、導電材料として銀粒子を含むことを特徴とする。
【００２１】
これにより、電気的抵抗値が低くかつ高い屈曲性を備えた、好適な第１シールド層を確実に実現することができる。
【００２２】
第４発明は、上記第１乃至第３発明のいずれかにおいて、被印刷用紙に所望の印刷を行うサーマルヘッドと、前記被印刷用紙を搬送する搬送手段とを、前記筐体本体の内部に有し、前記可動部が、前記サーマルヘッドにより印刷が行われた前記被印刷用紙の排出に利用可能な開閉カバーであり、前記プリント回路部が、前記筐体本体に固定された制御基板と前記開閉カバーに設けられた被印刷用紙検出用のセンサとを接続する回路部である、印刷装置であることを特徴とする。
【００２３】
これにより、搬送手段により被印刷用紙を搬送しつつサーマルヘッドにより所望の印刷を行い、印刷後に開閉カバーを開いて被印刷用紙を排出可能な印刷装置において、開閉カバーに設けるプリント回路部の静電気対策と破断防止機能とを両立させることができる。
【発明の効果】
【００２４】
本発明によれば、プリント回路部を可動部に設ける場合であっても、静電気対策と破断防止機能とを両立することができる。
【図面の簡単な説明】
【００２５】
【図１】本発明の一実施の形態である携帯型プリンタの外観構成を表す斜視図である。
【図２】携帯型プリンタの内部構造を表す、前方側斜め上方向から見た分解斜視図である。
【図３】携帯型プリンタの内部構造を表す図１中ＩＩＩ−ＩＩＩ断面による側断面図である。
【図４】携帯型プリンタの制御系を表すブロック図である。
【図５】図１中のＤ方向から見た矢視図である。
【図６】図２中のＥ方向から見た矢視図である。
【図７】プリント回路部の平面図である。
【図８】図７中のＡ−Ａ断面による横断面図である。
【図９】図７中のＢ−Ｂ断面による横断面図である。
【図１０】図７中のＣ−Ｃ断面による縦断面図である。
【図１１】携帯型プリンタのカバー部材が閉じられている状態の説明図である。
【図１２】携帯型プリンタのカバー部材が開いている状態の説明図である。
【発明を実施するための形態】
【００２６】
以下、本発明の一実施の形態を図面を参照しつつ説明する。本実施形態は、電子機器の一例として、印刷装置である携帯型プリンタに対し、本発明を適用した場合の実施形態である。
【００２７】
図１〜図３を用いて、本実施形態の携帯型プリンタ１の外観構成及び内部構造について説明する。以下では、図１中左下方向を前方、右上方向を後方、左上方向を左方、右下方向を右方として説明する。また、以下の説明において各部品について前後左右上下の各方向をいうときは、当該各部品が携帯型プリンタ１に取り付けられた状態での各方向に対応させて説明する。
【００２８】
図１〜図３において、携帯型プリンタ１は、例えばＰＣ端末や携帯電話等の外部機器２（後述の図４参照）より有線通信あるいは無線通信を介して受信した印刷データを種々の被印刷用紙（図示せず）に印刷する。この携帯型プリンタ１は、樹脂材料で構成された、装置外郭を構成する略直方体形状のハウジング１００（筐体本体）と、シャーシ組立体５０とを組み付けることによって、概略組み立てられる。
【００２９】
ハウジング１００は、装置外郭上部を構成するトップカバー１０１と、装置外郭下部を構成するアンダーカバー１０２と、トップカバー１０１の上面前方側に開閉可能に設けられたカバー部材１０３（開閉カバー、可動部）とを備えている。
【００３０】
ハウジング１００内には、搬送手段としてのプラテンローラ１１１と、サーマルヘッドの一種であるサーマルラインヘッド１１２とが設けられている。サーマルラインヘッド１１２は、後方側端部に軸部材１１３を備えた放熱板１１４上に設けられており、この放熱板１１４は上記サイドシャーシ部材１３０Ｌ，１３０Ｒにより軸部材１１３を中心に回動可能に支持されている。また、アンダーカバー１０２の内表面に設けられたメインシャーシ部材１５０には、上記サーマルラインヘッド１１２を支持する放熱板１１４をプラテンローラ１１１側に回動付勢する複数のコイルバネ１１５が設けられている。これにより、サーマルラインヘッド１１２は上記プラテンローラ１１１に圧接可能となっている。
【００３１】
カバー部材１０３は、ハウジング１００に対し可動に（詳細には開閉可能に）設けられている。そして、ハウジング１００及びカバー部材１０３に跨るように、プリント回路部（ＦＰＣ：フレキシブルプリンテッドサーキット）２００が設けられている。プリント回路部２００にはシールド層が設けられており、これによってハウジング１００内の各部において発生した静電気を接地放電可能としている（詳細は後述）。
【００３２】
ハウジング１００の後方側には、例えば略棒状の充電式電池１０を収容するバッテリ収納室１０５が設けられており、このバッテリ収納室１０５にはバッテリ室カバー１７０が着脱可能に設けられている。当該バッテリ室カバー１７０を取り外した状態では、上記バッテリ収納室１０５がハウジング１００の背面部分に開口する。
【００３３】
シャーシ組立体５０は、アンダーカバー１０２の内表面に設けられた、シャーシ組立体５０の底部を構成するメインシャーシ部材１５０と、このメインシャーシ部材１５０の長手方向両側端部より立設される一対の上記サイドシャーシ部材１３０Ｌ，１３０Ｒとを備えている。サイドシャーシ部材１３０Ｌ，１３０Ｒは、軸孔１３１にプラテンローラ１１１の軸部材１１１ａを挿通することにより、プラテンローラ１１１を回転可能に支持している。プラテンローラ１１１は、駆動モータ１１により回転駆動されることで被印刷用紙を搬送する。またサイドシャーシ部材１３０Ｌ，１３０Ｒは、サーマルラインヘッド１１２を備えた放熱板１１４を、前述した軸部材１１３を介して回動可能に支持している。
【００３４】
左側のサイドシャーシ部材１３０Ｌには、プラテンローラ１１１を駆動する駆動モータ１１と、この駆動モータ１１の駆動力をプラテンローラ１１１の上記軸部材１１１ａに伝達する、複数のギアからなるギア機構１３２が設けられている。
【００３５】
また、サイドシャーシ部材１３０Ｌ，１３０Ｒの上部には、ビーム部材１４０が架け渡され、ネジにより固定されている。そして、挿入口１０４から挿入された被印刷用紙をプラテンローラ１１１とサーマルラインヘッド１１２との圧接部Ｐに案内するガイド部材１２０が、ハウジング１００を構成するトップカバー１０１、アンダーカバー１０２、及びカバー部材１０３とは分離された別体として構成されており、上記ビーム部材１４０に固定されることによって、サイドシャーシ部材１３０Ｌ，１３０Ｒに設けられている。
【００３６】
ガイド部材１２０は、その上部に、シャーシ組立体５０への組み付け時に略水平となる水平面１２１と、この水平面１２１から装置内部側に向けて傾斜した傾斜面１２２とを有している。これら水平面１２１及び傾斜面１２２上には、被印刷用紙の案内方向に沿って形成された複数の突条部材１２３が、長手方向に並列して設けられている。
【００３７】
上記構成において、印刷時には、カバー部材１０３を閉じた状態で、トップカバー１０１とカバー部材１０３との間に形成された挿入口１０４に上記被印刷用紙が挿入される。挿入された被印刷用紙は、挿入口１０４の下方に設けられたガイド部材１２０により、後述するプラテンローラ１１１とサーマルラインヘッド１１２との圧接部Ｐに案内される。プラテンローラ１１１は所定の圧接力で被印刷用紙に接触し、被印刷用紙を搬送する。この搬送される被印刷用紙に対し、サーマルラインヘッド１１２が所望の印刷を行う。印刷完了後に、被印刷用紙はカバー部材１０３とアンダーカバー１０２との間に形成された排出口１０７より排出される。なお、紙詰まり等が生じた場合には、カバー部材１０３を開放することで、サーマルラインヘッド１１２からプラテンローラ１１１がリリースされ、容易に用紙を引き出すことが可能となる。
【００３８】
次に、図４を用いて、携帯型プリンタ１の制御系について説明する。
【００３９】
図４において、携帯型プリンタ１は、ＣＰＵ１２を有している。ＣＰＵ１２は、ＤＲＡＭ１３の一時記憶機能を利用しつつＲＯＭ１４に予め記憶されたプログラムに従って信号処理を行い、それによって携帯型プリンタ１全体の制御を行う。
【００４０】
また、ＣＰＵ１２は、携帯型プリンタ１の電源のオン・オフ処理を行う電源回路１５と、プラテンローラ１１１を駆動する駆動モータ１１の駆動制御を行うモータ駆動回路１６と、サーマルラインヘッド１１２の駆動制御を行うサーマルヘッド制御回路１７とに接続されている。
【００４１】
また、ＣＰＵ１２は、用紙検出センサであるフォトセンサ２０２と、用紙送り操作を行うためのフィードキー４０（図１及び図２も参照）と、電源のオン・オフ操作を行うための電源キー３０（図１及び図２も参照）とに接続されている。ＣＰＵ１２は、フォトセンサ２０２の検出結果に基づき、挿入口１０４に被印刷用紙が挿入されているか否かを検出する。
【００４２】
またＣＰＵ１２は、電源キー３０又はフィードキー４０が押し下げられた場合に、当該押し下げられたキーに対応した処理を実行する。フィードキー４０が押し下げられると、ＣＰＵ１２は、上記モータ駆動回路１６に制御信号を出力し、駆動モータ１１を駆動させてプラテンローラ１１１を回転させ、被印刷用紙を所定量搬送するフィード処理を行う。このフィードキー４０は、例えば被印刷用紙の搬送方向途中位置から印刷を開始するために用紙送りをする場合や、搬送方向長さが所定の長さよりも長い被印刷用紙を用いた場合において印刷終了後に用紙を排出するような場合に、操作される。一方、携帯型プリンタ１の電源オフ状態で電源キー３０が押し下げられると、ＣＰＵ１２は、電源回路１５に制御信号を出力して電源のオン処理を行い、電源オン状態で電源キー３０が押し下げられると、電源回路１５に制御信号を出力して電源のオフ処理を行う。
【００４３】
またＣＰＵ１２は、ＵＳＢインターフェース駆動回路２１と、無線通信部２２と、赤外線通信部２３とに接続されている。ＵＳＢインターフェース駆動回路２１は、ＵＳＢ端子２４（図１も参照）に接続されたＵＳＢケーブル（図示省略）を介して上記外部機器２との間で行われる通信の制御を行う。また無線通信部２２は、上記外部機器２との間で行われる赤外線以外の電波による無線通信の制御を行う。また赤外線通信部２３は、上記外部機器２との間で行われる赤外線通信の制御を行う。
【００４４】
上記構成の制御系において、携帯型プリンタ１で印刷を行う際には、操作者（ユーザ）は、ＰＣ端末や携帯電話等の外部機器２を用いて被印刷用紙に印刷する印刷データの入力を行うとともに、印刷開始指示入力を行う。これにより、外部機器２から携帯型プリンタ１に、上記ＵＳＢケーブル、又は、無線通信若しくは赤外線通信を介して、印刷データが送信され、携帯型プリンタ１において印刷データに基づいた印刷が行われる。
【００４５】
以上の基本構成及び動作において、本実施形態の携帯型プリンタ１の最大の特徴は、カバー部材１０３の開閉構造に関連したプリント回路部２００の配置及びその積層構造にある。以下、その詳細を図５〜図１２により順を追って説明する。
【００４６】
図５及び図６に示すように、ハウジング１００には、上記図４において説明した制御系の一部が取り付けられる制御基板２０３が固定されている。カバー部材１０３には、被印刷用紙検出用の上記フォトセンサ２０２（図１及び図２参照）が設けられる。プリント回路部２００は、上記制御基板２０３と上記フォトセンサ２０２とを接続する機能を果たすために、ハウジング１００とカバー部材１０３とに跨るように設けられている。
【００４７】
詳細には、図７に示すように、プリント回路部２００は、帯状のＦＰＣを略コ字状に折り曲げて構成され、その一端には櫛歯状の接続端子２０１が形成されている。また、プリント回路部２００の他端に、上記フォトセンサ２０２が一体的に設けられている。制御基板２０３には、上記接続端子２０１が接続され、フォトセンサ２０２側が、前述のようにカバー部材１０３内側に固定される。
【００４８】
プリント回路部２００は、ハウジング１００とカバー部材１０３とに跨るコ字型の中間に位置し、カバー部材１０３の繰り返し開閉によって屈曲可能な屈曲領域２０４ｂと、それ以外の通常領域２０４ａとを備えている。
【００４９】
図８〜図１０に示すように、通常領域２０４ａは、可撓性を備えたベース層３００と、ベース層３００の厚さ方向一方側（図示下側。以下同様）に位置する信号線パターン層３１０と、信号線パターン層３１０の上記厚さ方向一方側に位置する絶縁体層（カバーレイ）３２０と、絶縁体層のさらに上記厚さ方向一方側に位置する、導電性ペーストのシート（例えば銀粒子を含む銀箔）による第１シールド層３３０と、ベース層３００の厚さ方向他方側（図示下側。以下同様）に位置する、銅箔パターンによる第２シールド層３４０と、第２シールド層３４０のさらに厚さ方向他方側に位置する絶縁体層（カバーレイ）３２０とが、各接着剤層３５０を介して積層された構造となっている。
【００５０】
なお、図１０に概念的に示すように、通常領域２０４ａの適宜の箇所には、第１シールド層３３０と第２シールド層３４０とを導通する、接続導電路（いわゆるスルーホール）ＴＨが設けられている。
【００５１】
一方、プリント回路部２００の屈曲領域２０４ｂは、上記積層構造から第２シールド層３４０を省略した構造、すなわち、絶縁体層（カバーレイ）３２０と、ベース層３００と、信号線パターン層３１０と、信号線パターン層３１０の厚さ方向一方側（図示下側）に絶縁体層（カバーレイ）３２０及び第１シールド層３３０のみを配置した積層構造となっている。このとき、絶縁体層（カバーレイ）３２０とベース層３００との間の第２シールド層３４０が省略されて間隙となり、すなわち当該部位は間隙空気層Ｓとなっている。
【００５２】
以上のように構成した本実施形態の作用効果を図１１及び図１２を用いて説明する。
【００５３】
既に述べたように、プリント回路部２００はハウジング１００とカバー部材１０３に跨って設けられる。詳細にはプリント回路部２００の一端側の接続端子２０１はハウジング１００に固定され、プリント回路部２００の他端側（フォトセンサ２０２側）はカバー部材１０３に設けられる。そして、カバー部材１０３がハウジング１００に対し開閉動作するときには、屈曲領域２０４ｂが屈曲することにより、プリント回路部２００は当該カバー部材１０３の動作に追従して変形する。すなわち、図１１に示すカバー部材１０３の閉じ状態では、プリント回路部２００は、中間に位置する上記屈曲領域２０４ｂを下方にΩ状に撓ませた状態でハウジング１００及びカバー部材１０３の内部空間に存在している。この状態から、図１２に示すようにカバー部材１０３が開かれると、プリント回路部２００のうちカバー部材１０３に固定された側（フォトセンサ２０２側）がカバー部材１０３の上記開き動作に連動して回転するように引っ張られる。この結果、屈曲領域２０４ｂは、上記の撓みが消失するように屈曲角度を変えつつ上方へ引き込まれ、カバー部材１０３のハウジング１００側の端部に密着するようになる。このようにしてカバー部材１０３が図１１及び図１２に示す状態を交互に繰り返して開閉動作するたびに、プリント回路部２００の屈曲領域２０４ｂは屈曲動作を繰り返すことになる。したがって、屈曲領域２０４ｂを、もし仮に延性が弱い積層構造とした場合には、上記繰り返しによって回路損傷を受けるおそれがある。
【００５４】
そこで本実施形態においては、上述したような通常領域２０４ａと屈曲領域２０４ｂとで異なる積層構造としている。すなわち、屈曲領域２０４ｂ以外の通常領域２０４ａは、可撓性を備えたベース層３００を備え、信号線パターン層３１０の厚さ方向の両側に第１シールド層３３０及び第２シールド層３４０をそれぞれ分配して配置した積層構造により構成する。その一方で、屈曲領域２０４ｂは、上記積層構造から第２シールド層３４０を省略した構造、すなわち、ベース層３００と、信号線パターン層３１０と、信号線パターン層３１０の厚さ方向一方側に第１シールド層３３０のみを配置した積層構造とする。これにより、屈曲領域２０４ｂでは、第１シールド層３３０によって必要最低限の接地放電性能を確保しつつ、第２シールド層３４０を省略することで積層構造全体の剛性を低下させ延性を増加させることができる。この結果、カバー部材１０３とハウジング１００とに跨って設けられるプリント回路部２００において、静電気対策と破断防止機能とを両立させることができる。
【００５５】
また、本実施形態では特に、屈曲領域２０４ｂの積層構造において、間隙空気層Ｓを介在させることで厚さ方向一方側（図９及び図１０の図示下側）と厚さ方向他方側（図９及び図１０の図示上側）とが不連続となっている。これにより、確実に延性を増加させ、上述したプリント回路部２００の屈曲動作の繰り返しによる破断を確実に防止することができる。
【００５６】
また、本実施形態では特に、通常領域２０４ａが、第１シールド層３３０と第２シールド層３４０とを導通させるための上記接続導電路ＴＨを備えている。これにより、例えば図１０において、屈曲領域２０４ｂより層方向一方側（例えば図１０中左側）に位置する通常領域２０４ａの第２シールド層３４０が、図１０中左側の接続導電路ＴＨ→第１シールド層３３０→屈曲領域２０４ｂの第１シールド層３３０→屈曲領域２０４ｂの層方向他方側（例えば図１０中右側）に位置する通常領域２０４ａの第１シールド層３３０→図１０中右側の接続導電路ＴＨ、という経路を介し、当該図１０中右側の通常領域２０４ａの第２シールド層３４０と確実に導通する。したがって、プリント回路部２００全体において、十分な静電気放電機能を確保することができる。
【００５７】
また、本実施形態では特に、第２シールド層３４０が銅箔により構成されており、銀粒子を含む導電性ペーストにより構成した第１シールド層３３０よりも大きな剛性を備えている。これにより、プリント回路部２００の屈曲領域２０４ｂでは、大きな剛性の第２シールド層３４０が省略され、小さな剛性の第１シールド層３３０のみが設けられることとなる。この結果、屈曲領域２０４ｂにおける積層構造の剛性を確実に低下させて延性を増加させることができる。特に、第２シールド層３４０の導電性ペーストは、導電材料として銀粒子を含んでいることにより、電気的抵抗値が低くかつ高い屈曲性を備えた、好適な第１シールド層３３０を確実に実現することができる。
【００５８】
なお、以上において、図４に示す矢印は信号の流れの一例を示すものであり、信号の流れ方向を限定するものではない。
【００５９】
なお、上記は、電子機器として、印刷装置である携帯型プリンタ１に本発明を適用したが、これに限られない。すなわち、筐体本体と、この筐体本体に対して可動（開閉構造、スライド構造、回転構造等を含む）に設けられた可動部を備え、この可動部と筐体本体とに跨ってプリント回路部を設置する電子機器であれば他のものに対しても本発明は適用でき、この場合も同様の効果を得る。
【００６０】
また、以上既に述べた以外にも、上記実施形態や各変形例による手法を適宜組み合わせて利用しても良い。
【００６１】
その他、一々例示はしないが、本発明は、その趣旨を逸脱しない範囲内において、種々の変更が加えられて実施されるものである。
【符号の説明】
【００６２】
１              携帯型プリンタ（印刷装置、電子機器）
１００          ハウジング（筐体本体）
１０１          トップカバー
１０２          アンダーカバー
１０３          カバー部材（開閉カバー、可動部）
１１１          プラテンローラ
１１２          サーマルラインヘッド
２００          プリント回路部
２０４ａ        通常領域
２０４ｂ        屈曲領域
３００          ベース層
３１０          信号線パターン層
３２０          絶縁体層
３３０          第１シールド層
３４０          第２シールド層
３５０          接着剤層
Ｓ              間隙空気層
【図１】
0005553158.tif 000002
【図２】
0005553158.tif 000003
【図３】
0005553158.tif 000004
【図４】
0005553158.tif 000005
【図５】
0005553158.tif 000006
【図６】
0005553158.tif 000007
【図７】
0005553158.tif 000008
【図８】
0005553158.tif 000009
【図９】
0005553158.tif 000010
【図１０】
0005553158.tif 000011
【図１１】
0005553158.tif 000012
【図１２】
0005553158.tif 000013